【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
入口と出口を有するハウジングと、
前記ハウジング内部の、複数の孔を有する少なくとも一つの発泡セラミック部材と、
前記ハウジングの第１の側面から前記発泡セラミック部材を通って前記ハウジングの第２の側面まで延びる複数の延長プラグであって、前記ハウジングの第１の側面が、前記複数の延長プラグの第１端部により前記少なくとも一つの発泡セラミック部材から離間して位置し、前記ハウジングの第２の側面が、前記複数の延長プラグの第２端部により前記少なくとも一つの発泡セラミック部材から離間して位置している、複数の延長プラグと、
冷却剤に対して不浸透性のダムと、
を備えている熱交換デバイス。
【請求項２】
前記複数の延長プラグが窒化アルミニウムプラグを含む、請求項１に記載の熱交換デバイス。
【請求項３】
前記少なくとも一つの発泡セラミック部材が、不規則な方向に向き且つ複数の孔を有する複数のセラミックファイバを含む、請求項１に記載の熱交換デバイス。
【請求項４】
前記少なくとも１つの発泡セラミック部材と前記ハウジングの第１の側面とが、第１の流路を画定し、
前記少なくとも１つの発泡セラミック部材と前記ハウジングの第２の側面とが、第２の流路を画定し、
前記不浸透性のダムが、前記第２の流路を通過する冷却剤を、前記複数の孔を介して前記少なくとも一つの発泡セラミック部材の厚みを通過させて、前記第１の流路へそらすようになっている、請求項１に記載の熱交換デバイス。
【請求項５】
前記第１の流路へそらされた冷却材が、前記複数の孔を介して前記少なくとも一つの発泡セラミック部材の厚みを通過して出口まで流れる、請求項４に記載の熱交換デバイス。
【請求項６】
前記ハウジングの第１の側面が熱伝導性の層を含んでいる、請求項１に記載の熱伝導デバイス。
【請求項７】
前記ハウジングの第１の側面が窒化アルミニウムを含んでおり、更には複数のアルミナ−シリカ繊維を含んでいる、請求項１に記載の熱交換デバイス。
【請求項８】
前記ハウジングの第１の側面が熱伝導性接着剤により前記複数の延長プラグの第１端部に連結されており、且つ前記熱伝導性接着剤が室温加硫（ＲＴＶ）接着剤を含む、請求項１に記載の熱交換デバイス。
【請求項９】
発泡セラミック部材の第１の側面に第１の鋳造層を付加すること、
発泡セラミック部材の第２の側面に第２の鋳造層を付加すること、
前記第１の鋳造層、前記発泡セラミック部材、及び前記第２の鋳造層を貫通する複数の開口を形成すること、
前記複数の開口に鋳造材料を導入すること、
前記鋳造材料を硬化させて、前記発泡セラミック部材を貫通する複数の延長プラグを形成すること、及び
前記発泡セラミック部材から前記第１及び第２の鋳造層を除去すること
を含む方法。
【請求項１０】
前記鋳造材料がキャスタブル窒化アルミニウム材を含む、請求項９に記載の方法。
【請求項１１】
前記第１及び第２の鋳造層の少なくとも一方がワックス層及びシリコン層の少なくとも一方からなる、請求項９に記載の方法。
【請求項１２】
前記発泡セラミック部材の一又は複数の側面を、熱伝導性接着剤を用いて前記延長プラグの端部に連結することを更に含む、請求項９に記載の方法。
【請求項１３】
冷却剤に対して不浸透性のダムを位置づけることを更に含む、請求項９に記載の方法。
【手続補正２】
【補正対象書類名】明細書
【補正対象項目名】００７３
【補正方法】変更
【補正の内容】
【００７３】
本出願の要約書は、特許請求の範囲又は意味を文字通りに解釈するものではなく、また制限するものでもない。加えて、上述の詳細な説明、種々の特徴は、本開示内容を合理化する目的で、一つにまとめる、或いは単一の実施形態として説明することができる。本開示内容は、特許請求される実施形態が、各請求項に明記されている特徴の他に更なる特徴を必要としていることを意味するものではない。そうではなく、特許請求の範囲に記載するように、特許請求の主題は、開示された任意の実施形態の全ての特徴のうちの一部を目的とするものである。
また、本発明は以下に記載する態様を含む。
（態様１）
入口と出口を有するハウジングと、
前記ハウジング内部の、複数の孔を有する少なくとも一つの発泡セラミック部材と、
前記ハウジングの第１の側面から前記発泡セラミック部材を通って前記ハウジングの第２の側面まで延びる複数の延長プラグであって、前記ハウジングの第１の側面が、当該延長プラグの第１端部により前記少なくとも一つの発泡セラミック部材から離間して位置している複数の延長プラグと
を備えている熱交換デバイス。
（態様２）
前記複数の延長プラグが窒化アルミニウムプラグを含む、態様１に記載の熱交換デバイス。
（態様３）
前記少なくとも一つの発泡セラミック部材が、不規則な方向に向き且つ複数の孔を有する複数のセラミックファイバを含む、態様１に記載の熱交換デバイス。
（態様４）
前記入口に強制的に導入された冷却剤は、
前記複数の孔を介して前記少なくとも一つの発泡セラミック部材の厚みを通過し、そして
前記ハウジングの第１の側面と前記少なくとも一つの発泡セラミック部材との間の空間を通過して
出口まで流れる、態様１に記載の熱交換デバイス。
（態様５）
前記入口に強制的に導入された冷却剤は、
前記複数の孔を介して第１の方向に前記少なくとも一つの発泡セラミック部材の厚みを通過し、
前記ハウジングの第１の側面と前記少なくとも一つの発泡セラミック部材との間の空間を通過し、そして
前記複数の孔を介して第２の方向に前記少なくとも一つの発泡セラミック部材の厚みを通過して
出口まで流れる、態様１に記載の熱交換デバイス。
（態様６）
前記ハウジングの第１の側面が熱伝導性の層を含んでいる、態様１に記載の熱伝導デバイス。
（態様７）
前記ハウジングの第１の側面が窒化アルミニウムを含んでおり、更には複数のアルミナ−シリカ繊維を含んでいる、態様１に記載の熱交換デバイス。
（態様８）
前記ハウジングの第１の側面が熱伝導性接着剤により前記複数の延長プラグの第１端部に連結されており、且つ前記熱伝導性接着剤が室温加硫（ＲＴＶ）接着剤を含む、態様１に記載の熱交換デバイス。
（態様９）
前記ハウジングの第２の側面が、前記複数の延長プラグの第２端部により前記少なくとも一つの発泡セラミック部材から離間して位置している、態様１に記載の熱交換デバイス。
（態様１０）
前記ハウジングの第２の側面と前記少なくとも一つの発泡セラミック部材との間の出口に向かう冷却剤の流れを妨げる、冷却剤に対して不浸透性のダムを更に備える、態様９に記載の熱交換デバイス。
（態様１１）
発泡セラミック部材の第１の側面に第１の鋳造層を付加すること、
発泡セラミック部材の第２の側面に第２の鋳造層を付加すること、
前記第１の鋳造層、前記発泡セラミック部材、及び前記第２の鋳造層を貫通する複数の開口を形成すること、
前記複数の開口に鋳造材料を導入すること、
前記鋳造材料を硬化させて、前記発泡セラミック部材を貫通する複数の延長プラグを形成すること、及び
前記発泡セラミック部材から前記第１及び第２の鋳造層を除去すること
を含む方法。
（態様１２）
前記鋳造材料がキャスタブル窒化アルミニウム材を含む、態様１１に記載の方法。
（態様１３）
前記第１及び第２の鋳造層の少なくとも一方がワックス層及びシリコン層の少なくとも一方からなる、態様１１に記載の方法。
（態様１４）
前記発泡セラミック部材の一又は複数の側面を、熱伝導性接着剤を用いて前記延長プラグの端部に連結することを更に含む、態様１１に記載の方法。